(57)【特許請求の範囲】
【請求項１】
水平方向を向くフレームで上部が連結された複数のポールを設け、該ポールの少なくとも１本の下端に下ベースを取り付けるとともに、該ポール周りに空間部を形成するように、ポールより大径である管状のテーブル支柱の下端を前記下ベースに上端を上ベースに取り付け、かつ、前記上ベースにより支持された天板に設けられたポールが貫通する天板貫通孔とテーブル支柱内の空間、そして下ベースに床方向から貫通する配線孔が、それぞれ貫通しており、前記テーブル支柱が、ポール回りに離間して下ベースに取り付けられる複数の支柱と、該支柱間の開口を着脱可能に閉塞する複数のカバー部材からなることを特徴とするテーブルの配線構造。
【請求項２】
前記ポールの下端側から上端側にかけて、溝部が施されている請求項１に記載のテーブルの配線構造。
【請求項３】
前記天板貫通孔には、着脱自在のトップカバーが嵌合されている請求項１または２に記載のテーブルの配線構造。
【請求項４】
前記トップカバーは、複数個に分割されており、別々に着脱可能になっている請求項３に記載のテーブルの配線構造。
【発明の詳細な説明】
【０００１】
【発明の属する技術分野】
本発明は、コード類を露出することなく、コミュニケーションを図るテーブルの配線構造に関する。
【０００２】
【従来の技術】
近年、オフィス等のオープン化を図り、コミュニケーションを活発化させるということが唱えられ初められているが、オフィスルームやパビリオン等の比較的広い空間体を仕切って多目的のスペース、即ち来客とビジネストークするレセプションスペース、意見等を出し合うコラボレーションスペース、簡単な会合をするミーティングスペース、気分転換のためのリラックススペース或いは本や雑誌等が閲覧できるライブラリースペース等を構築する場合は、一般に、天井から床まで柱を立てて、柱の間を一部壁で覆うようにして部屋を造るようにしたもの、或いはパーティションの設置間隔をあけて配置して空間を間仕切り、所要のスペースを得るようにしたもの等が従来知られている。そしてこのようなスペースが構築された後は、パソコンやミーティング資料を置くためのテーブルが椅子とともに持ち込まれるのが普通である。
【０００３】
【発明が解決しようとする課題】
しかしながら、上記したいずれのものも、壁やパーティションにより所要空間を画定するようになっているために、所要目的のために構築した空間構造体がそれ以外の外部空間と部分的にしか開放されていないような関係で連接するものであるから、オフィス等のオープン化によるコミュニケーションの活発化という目的を達成するための完全に解放された空間構造体とはなっていなかった。しかもテーブルを構築した空間構造体内に運び込もうとするときに、人の出入りする壁に付けた扉から搬入させる場合にテーブルサイズが限定され、また、パーティションの設置間隔をあけたところからテーブルサイズの大きいものを搬入させようとすれば、再び、パーティションを再移動させてテーブルを中に入れるという煩雑な作業があった。そして、いずれの場合においても、空間構造体内にいる人もその外にいる人も共通のテーブルを利用してコミュニケーションの活発化を図ることができるテーブルは存在していなかった。
【０００４】
またテーブル上にディスプレーやパソコン等が載置される場合、電源コード等の各種コード類がテーブルから床に設置された電気コンセントや通信アダプターにかけて剥き出し状態になっており、美観を損なうばかりか前記機器から配線が外れ易くなる可能性があり、安全性についても問題があった。
【０００５】
本発明は、上記問題点を解決するためになされたもので、共有空間構造体とともに設けられたテーブルの天板上に配線を取り出す場合、可能な限り配線を露出させず、汎用性の高いテーブルにおける配線構造を提供することを目的としている。
【０００６】
【課題を解決するための手段】
上記目的を達成するために、テーブルの配線構造は、水平方向を向くフレームで上部が連結された複数のポールを設け、該ポールの少なくとも１本の下端に下ベースを取り付けるとともに、該ポール周りに空間部を形成するように、ポールより大径である管状のテーブル支柱の下端を前記下ベースに上端を上ベースに取り付け、かつ、前記上ベースにより支持された天板に設けられたポールが貫通する天板貫通孔とテーブル支柱内の空間、そして下ベースに床方向から貫通する配線孔が、それぞれ貫通しており、前記テーブル支柱が、ポール回りに離間して下ベースに取り付けられる複数の支柱と、該支柱間の開口を着脱可能に閉塞する複数のカバー部材からなることを特徴とする。
この特徴によれば、複数の配線が前記下ベースの配線孔と、前記テーブル支柱から成る配線用の空間、そして天板の貫通孔を貫通して上下に配線されるため、配線が外部から露出することがない。またテーブル脚が前記下ベースに支持された複数の前記支柱と前記支柱カバーのみで構成されているため軽量なテーブルとなり、また前記支柱カバーは着脱可能なため必要な部分のみ外すだけで配線のメンテナンスができる。
【０００８】
上記テーブルの配線構造において、前記ポールの下端側から上端側にかけて、溝部が施されているのが好ましい。
このようにすれば、上下に延びる配線を前記ポール溝部に延設することが可能になり、天板上に延びるポール上の電気器具に対して配線を露出させずに配線を施すことができる。
【０００９】
上記テーブルの配線構造において、前記天板貫通孔には、着脱自在のトップカバーが嵌合されているのが好ましい。
このようにすれば、トップカバーによって余分な配線を隠蔽できる。
【００１０】
上記テーブルの配線構造において、前記トップカバーは、複数個に分割されており、別々に着脱可能になっているのが好ましい。
このようにすれば、必要な部分のみのトップカバーを外すだけで配線のメンテナンスができる。
【００１１】
【発明の実施の形態】
以下、本発明の実施例を図面に基づいて説明する。
【００１２】
図１ないし図８に基づいて本発明の実施例を説明すると、まず図１は共有空間構造体１７の全体図が示されている。この共有空間構造体１７は下ベース３とポール１９と、フレーム２０が組み合わされて構築されている。この共有空間構造体１７とは、図１に従って詳述すると、例えばワークスペースとして構築した４つの下ベース３と４本のポール（１９１，１９２，１９３，１９４）と５本のフレーム２０からなる空間構造体がそれ以外の外部空間に充分開放された関係で連接できるようになっている構造体である。
【００１３】
ここで、ポール１９１の上部には照明装置２１が取り付けられており、ポール１９４，１９１間に連接されたフレーム２０にはロールスクリーン２２が取り付けられている。
【００１４】
また、上記共有空間構造体１７のポール１９１にはテーブル１が形成され、前記テーブル１の天板２上に設置されたパソコン７の電源プラグ７ａが天板２上に設けられたコンセント９に差し込めるようになっており、椅子６等を利用して各種作業を行えるスペースが提供されている。
【００１５】
図２はこのテーブル部分の分解図が示されており、前記テーブル１はポール１９と４本の支柱４の下端を支持する下ベース３と、前記４本の支柱４とで支持される上ベース１１と、上ベース１１で支持される天板２と、天板２の中央に設けられた天板貫通を閉塞するトップカバー８と、前記下ベース３と上ベース１１間に設けられる前記ポール１９を中心とした４本の支柱４周りに形成された空間部を閉塞するための着脱可能な支柱カバー５と、から構成される。また前記ポール１９は、上ベース１１の上ベース中央孔１１ｃと、天板２の天板貫通孔１３とをそれぞれ貫通している。この支柱４と支柱カバー５によって構成される部分が、本発明のテーブル支柱３０として機能し、内部に上下方向に延びる空間を有する管状体となっている。
【００１６】
前記ポール１９と４本の支柱４の下端を支持する下ベース３には、中央中心部にポール支持ボルト１９ｃが１本延びており、支柱支持ボルト１０が各支柱４に対して２本ずつ延びている、より詳しくは図３のポール１９と下ベース３の拡大斜視図と、図５（ａ）のＢ−Ｂ線の断面図である図５（ｂ）に示され、下ベース３の中央ボルト孔３ｃから上方方向に向かってポール支持ボルト１９ｃが挿通され、前記ポール支持ボルト１９ｃはポール１９の下端に設けられた雌ネジ部１９ａに螺合し、ポール１９と下ベース３を固定する。なおポール１９の上端の雌ネジ部１９ｂには図３に示されるように、トップキャップ２３の雄ネジ２３ａが螺合され、取付けられている。
【００１７】
また図２の下ベース３のボルト孔３ａからそれぞれ上方方向に向かって挿通される前記支柱支持ボルト１０は、図４に示される各支柱４の下端に設けられた雌ネジ部４ａと螺合し、支柱４と下ベース３が着脱自在に固定される。
【００１８】
次に図２の分解図に示される前記下ベース３に固定された４本の支柱４の上端には、前記下端に設けたれた雌ネジ部４ａと同様に雌ネジ部４ｃが設けられており、４本の支柱４と上ベース１１を着脱自在に固定するために、上ベース支持ボルト１８が各支柱４に対して２本ずつ、図６に示されている上ベース連結ボルト孔１１ａから下方方向に向かって挿通され、各支柱４に設けられた前記雌ネジ部４ｃに螺合して固定される。
【００１９】
このようにして各支柱４に設けられた雌ネジ部４ｃと上ベース支持ボルト１８によって嵌合され固定された上ベース１１上に、天板２を載置するには、まず図６に示される上ベース１１の４箇所に設けられた天板連結ボルト孔１２ａを利用して、４本の天板連結ボルト１２をそれぞれ上ベース部材１１の下方から上方方向に向かって挿通し、図７（ｂ）に示されるように、天板２下面に形成された凹部である雌ネジ部２ａへ螺合することにより、上ベース１１と天板２とを強固に固定できることになる。
【００２０】
続いて、前記したように天板２には、その中央に天板貫通孔１３とが開放されており、この天板貫通孔１３を図２、図７（ａ）に示されるトップカバー８で閉鎖する。この際トップカバー８のセンター孔８ａを貫通するポール１９が、その周囲に包囲される。より詳しくは、図７（ａ）のＣ−Ｃ線断面図である図７（ｂ）に示されており、天板孔貫通孔１３にトップカバー８を挿入するとこのトップカバー８の下端部８ｂが上ベース１１上面に当接するとともに、トップカバー８の端縁８ｃが天板貫通孔１３周辺の天板上面周端部２ｂに当接する。またトップカバー８の内側下面には凸部８ｄが形成されており、この凸部８ｄが図７（ｂ）と図６に示された上ベース１１の受孔１１ｂに嵌合し、トップカバー８が安定的に保持される。
【００２１】
また前記トップカバー８は、４部品（８１、８２、８３、８４）にそれぞれ分割されており、使用目的別にあわせて自由に着脱できるようになっている。
【００２２】
図７（ａ）、（ｂ）に示される前記トップカバー８には、コンセント９等の配線装置を着脱可能に収納する収納口１５が示され、このコンセント９が収納口１５に収納される場合、収納口１５の入口に設けられた支持鈎１５ａに支持され、固定され落下が防止されるようになっている。
【００２３】
このようにして立設されるテーブルに対して、図４に示されるように支柱４には外側両端にそれぞれ２箇所ずつ鈎受部４ｂが設けられており、この鈎受部４ｂを利用して支柱４に支柱カバー５が被設されるようになっている。すなわち支持カバー５の両端に、前記支柱４の鈎受部４ｂに係合できる鈎部５ａが設けられており、これら支柱カバー５を支柱まわりに固定することによって、外方から見えないコード類の収納空間を形成できる。
【００２４】
このようにして組立てられたテーブル１が図７（ｂ），図８に示され、トップカバー８に嵌設されたコンセント９が接続されている複数の配線コード１６が、天板貫通孔１３から上ベース１１の上ベース配線孔１４ａを通過し、４本の支柱４と支柱カバー５とで区画された空間部に案内されて、下ベース３に設けられた下ベース配線孔１４ｂへ通過し、下ベース３下部のに複数設けられた下ベース脚３ｂ間から引き出され、主電源へ配線されることとなる。
【００２５】
また配線コード１６は、図７（ｂ），図３に示されるように、ポール１９に施されたポール溝部１９ｄ内に延設することが可能であり、ポール１９の上端まで外部に露出することなく延出することができ、例えば図１に示される照明装置２１や電動式のロールスクリーン２２等へ電源を供給することができる。
【００２６】
前記上ベース配線孔１４ａと下ベース配線孔１４ｂはそれぞれ４箇所に孔が設けられているが、コードの種類や本数、また天板２上で使用する機器の形態に応じて必要な孔を使用すればよく、使用しない孔は予備孔として備えられる。
【００２７】
本発明は、上記実施例に限定されるものではなく、種々の実施形態をとりえる。
【００２８】
図９は本発明の変形例を示しており、天板２に上記テーブル１の２本のテーブル脚が、それぞれ下ベース３に支持されたポール１９まわりに設けられたことにより、さらにスペースを広くできより多くの電源を確保できるため、例えば展示会場等で主催者側が多数の来客にテーブル上に複数載置されたパソコン等を利用させることができる。
【００２９】
【発明の効果】
本発明によれば、次のような効果が得られる。
【００３０】
（ａ）請求項１に記載の発明によれば、複数の配線が前記下ベースの配線孔と、前記テーブル支柱から成る配線用の空間、そして天板の貫通孔を貫通して上下に配線されるため、配線が外部から露出することがない。またテーブル脚が前記下ベースに支持された複数の前記支柱と前記支柱カバーのみで構成されているため軽量なテーブルとなり、また前記支柱カバーは着脱可能なため必要な部分のみ外すだけで配線のメンテナンスができる。
【００３２】
（ｂ）請求項２に記載の発明によれば、上下に延びる配線を前記ポール溝部に延設することが可能になり、天板上に延びるポール上の電気器具に対して配線を露出させずに配線を施すことができる。
【００３３】
（ｃ）請求項３に記載の発明によれば、トップカバーによって余分な配線を隠蔽できる。
【００３４】
（ｄ）請求項４に記載の発明によれば、必要な部分のみのトップカバーを外すだけで配線のメンテナンスができる。
【図面の簡単な説明】
【図１】本発明を適用した実施例の斜視図である。
【図２】図１のテーブルの配線構造を示す分解図である。
【図３】ポールの配線構造を示す拡大斜視図である。
【図４】カバー部材に支柱が挟持された構造を示す断面拡大図である。
【図５】（ａ）  図１のＡ−Ａ線の断面図である。
（ｂ）  図５（ａ）のＢ−Ｂ線の断面図である。
【図６】上ベースの構造を示す平面図である。
【図７】（ａ）  トップカバーの構造を示す平面図である。
（ｂ）  図７（ａ）のＣ−Ｃ線の断面図である。
【図８】配線装置に接続されたコード類の収納構造が示された断面図である。
【図９】本発明を適用した実施例の変形例を示す斜視図である。
【符号の説明】
１      テーブル
２      天板
２ａ  雌ネジ部
２ｂ  天板上面周端部
３      下ベース
３ａ  ボルト孔
３ｂ  下ベース脚
３ｃ  中央ボルト孔
４      支柱
４ａ，４ｃ  雌ネジ部
４ｂ  鈎受部
５      支柱カバー
５ａ  鈎部
６      椅子
７      パソコン
７ａ  電源プラグ
８      トップカバー
（８１，８２，８３，８４）  ４分割可能な各トップカバー
８ａ  センター孔
８ｂ  下端部
８ｃ  端縁
８ｄ  凸部
９      コンセント
１０    支柱支持ボルト
１１    上ベース
１１ａ  上ベース連結ボルト孔
１１ｂ  受孔
１１ｃ  上ベース中央孔
１２    天板連結ボルト
１２ａ  天板連結ボルト孔
１３    天板貫通孔
１４ａ  上ベース配線孔
１４ｂ  下ベース配線孔
１５    収納口
１５ａ  支持鈎
１６    配線コード
１７    共有空間構造体
１８    上ベース支持ボルト
１９    ポール
（１９１，１９２，１９３，１９４）  各４本のポール
１９ａ，１９ｂ  雌ネジ部
１９ｃ  ポール支持ボルト
１９ｄ  ポール溝部
２０    フレーム
２１    照明装置
２２    ロールスクリーン
２３    トップキャップ
２３ａ  雄ネジ
３０    テーブル支柱
【図１】
0004558921.tif 000002
【図２】
0004558921.tif 000003
【図３】
0004558921.tif 000004
【図４】
0004558921.tif 000005
【図５】
0004558921.tif 000006
【図６】
0004558921.tif 000007
【図７】
0004558921.tif 000008
【図８】
0004558921.tif 000009
【図９】
0004558921.tif 000010